(57)【要約】      （修正有）【課題】顔に固定できる美容用フェイスマスクを提供する。【解決手段】吸湿性および伸縮性のあるシート状の素材からなる美容用フェイスマスク１であって、顔全体を覆う顔部１０を備え、顔部１０は、美容用フェイスマスク１を使用者の顔に固定するための一対の耳かけ部１４、２１、２２を備える。【選択図】図１
0003176636.tif 000002
【実用新案登録請求の範囲】
【請求項１】
吸湿性および伸縮性のあるシート状の素材からなる美容用フェイスマスクであって、
顔全体を覆う顔部を備え、
前記顔部は、前記美容用フェイスマスクを使用者の顔に固定するための一対の耳かけ部を備えることを特徴とする美容用フェイスマスク。
【請求項２】
請求項１に記載の美容用フェイスマスクにおいて、
前記顔部に接続されて下方に延在し、顎下を覆うための顎部をさらに備え、
前記顎部は、前記顎部を前記使用者の顎下に密着させるための一対の顎部用耳かけ部を備えることを特徴とする美容用フェイスマスク。
【請求項３】
請求項１または請求項２に記載の美容用フェイスマスクにおいて、
前記耳かけ部は、前記フェイスマスクの略上下方向に延在する切り込みとして構成されることを特徴とする美容用フェイスマスク。
【請求項４】
請求項１から請求項３のいずれか１項に記載の美容用フェイスマスクにおいて、
前記顎部用耳かけ部は、前記フェイスマスクの略左右方向に延在する切り込みとして構成されることを特徴とする美容用フェイスマスク。
【考案の詳細な説明】
【技術分野】
【０００１】
本考案は、美容用フェイスマスクに関する。
【背景技術】
【０００２】
従来から、顔形状に打ち抜かれた不織布からなる美容用のフェイスマスクが知られている（例えば、特許文献１参照）。特許文献１記載のフェイスマスクシートは、折り畳まれ、化粧水を含浸した状態で包装されている。フェイスマスクシートを使用する際は、パッケージから取り出した化粧水含浸済みで折り畳まれたフェイスマスクシートを顔形状に展開し、顔に当てる。
【先行技術文献】
【特許文献】
【０００３】
【特許文献１】特開２０００−２８７７５１号公報
【考案の概要】
【考案が解決しようとする課題】
【０００４】
上述したような従来のフェイスマスクは、使用時に、顔形状に展開したフェイスマスクを顔に当てるだけであるので、例えば使用者がフェイスマスクを顔に当てたままで動くとフェイスマスクが落ちてしまうという問題があった。
【課題を解決するための手段】
【０００５】
本考案の請求項１に記載の美容用フェイスマスクは、吸湿性および伸縮性のあるシート状の素材からなる美容用フェイスマスクであって、顔全体を覆う顔部を備え、顔部は、美容用フェイスマスクを使用者の顔に固定するための一対の耳かけ部を備えることを特徴とする。
【考案の効果】
【０００６】
本考案によれば、美容用フェイスマスクを使用者の顔に固定することができる。
【図面の簡単な説明】
【０００７】
【図１】図１は、本考案の一実施の形態による美容用フェイスマスクを示す図。
【図２】図２（ａ）〜（ｅ）は、一実施の形態による美容用フェイスマスクの使用方法を説明する図。
【考案を実施するための形態】
【０００８】
以下、図面を参照して本考案の一実施の形態による美容用フェイスマスクについて詳細に説明する。図１は、一実施の形態による美容用フェイスマスクを示す図である。フェイスマスク１は吸湿性および伸縮性を有するシート状の素材（例えば不織布）からなり、化粧水のパックに最適な厚みを有している。
【０００９】
図１に示すように、フェイスマスク１は、顔全体を覆う顔部１０と、顔部１０に接続されて下方に延在し顎下を覆う顎部２０とを有する。顔部１０において使用者の目および口に相当する位置にはそれぞれ第１の開口部１１，第２の開口部１２が設けられ、使用者の鼻に相当する位置には鼻の形状に合わせた第１の切り込み部１３が設けられている。さらに、顔部１０において使用者の耳に相当する位置には使用時にフェイスマスク１（とくに顔部１０）を使用者の顔に固定するための一対の第１の耳かけ部１４が設けられている。第１の耳かけ部１４は、フェイスマスク１において略上下方向に延在する切り込みとして構成されている。
【００１０】
顎部２０には、使用時にフェイスマスク１を使用者の顔に固定するため、とくに顎部２０を使用者の顎下に密着させるための、一対の第２の耳かけ部２１および一対の第３の耳かけ部２２が設けられている。第２の耳かけ部２１および第３の耳かけ部２２は、それぞれフェイスマスク１において略左右方向に延在する切り込みとして構成されている。顔部１０と顎部２０との接続部分には、一対の第２の切り込み部１５が設けられている。
【００１１】
つぎに、フェイスマスク１の使用方法について説明する。
【００１２】
まず、図２（ａ）に示すように、一対の第２の切り込み部１５の両端部分（点線丸部分）を切り離す。これにより、フェイスマスク１の顔部１０と顎部２０は、一対の第２の切り込み部１５の間の部分で接続された状態となる。フェイスマスク１に水を含ませた後、化粧水をたっぷりと含ませる。
【００１３】
つぎに、図２（ｂ）に示すようにフェイスマスク１の顔部１０の第１開口部１１、第２開口部１２、および第１の切り込み部１３をそれぞれ使用者の目、口、鼻に合わせて、フェイスマスク１の顔部１０を肌に密着させる。顔に密着させた状態で、図２（ｃ）に示すように顔部１０を横に軽く引き上げ、第１の耳かけ部１４を片側ずつ使用者の耳に掛ける。そして、図２（ｄ）に示すように顎部２０を使用者の顎の下から上方に引き上げ、肌に密着させながら第２又は第３の切り込み部２１，２２を耳に掛ける。
【００１４】
これにより、図２（ｅ）に示すようにフェイスマスク１が使用者の顔および顎下を覆うように装着される。
【００１５】
なお、図１において第１から第３の耳かけ部１４，２１，２２はそれぞれフェイスマスク１に設けられた切り込みとして構成したが、耳かけ部として適切に機能すれば切り込みの代わりに開口としてもよい。
【００１６】
上述した一実施の形態においては、顎部２０には２組の耳かけ部２１，２２を設けたが、第２の耳かけ部２１または第３の耳かけ部２２のみを設けるようにしてもよい。また、フェイスマスク１の顎部２０を省略し、顔部１０のみとしてもよい。フェイスマスク１を顔に装着する前に化粧水を含ませるとして説明したが、化粧水は予めフェイスマスク１に含浸させておいてもよい。
【００１７】
以上説明した本考案の一実施の形態によると以下のような作用効果を奏することができる。
（１）美容用フェイスマスク１は、吸湿性および伸縮性のあるシート状の素材からなり、顔全体を覆う顔部１０を備えている。顔部１０には、美容用フェイスマスク１を使用者の顔に固定するための一対の耳かけ部（第１の耳かけ部）１４が設けられている。これにより、フェイスマスク１が使用者の顔に固定され、使用者がフェイスマスク１を着けたまま動いてもフェイスマスク１が落ちてしまうことがなく、利便性が向上する。
（２）美容用フェイスマスク１は、顔部１０に接続されて下方に延在し、顎下を覆う顎部２０をさらに備え、顎部２０には、顎部２０を使用者の顎下に密着させるための一対の顎部用耳かけ部（第２、第３の耳かけ部）２１，２２を備えている。これにより、フェイスマスク１の顎部２０も使用者の顔に固定することができる。
（３）第１の耳かけ部１４は、フェイスマスク１の略上下方向に延在する切り込みとして構成されているので、第１の耳かけ部１４を容易に耳に掛けることができる。また、切り込みとすることで第１の耳かけ部１４を容易に、かつ素材を無駄にすることなく形成することができる。
（４）第２、第３の耳かけ部２１，２２は、前記フェイスマスクの略左右方向に延在する切り込みとして構成されているので、顎部２０を上方に引き上げて顎下に密着させる際に第２、第３の耳かけ部２１，２２を容易に耳に掛けることができる。また、切り込みとすることで第２、第３の耳かけ部２１，２２を容易に、かつ素材を無駄にすることなく形成することができる。
【００１８】
以上の説明はあくまで一例であり、上記の実施形態の構成に何ら限定されるものではない。例えばフェイスマスク１の形状や大きさ、第１、第２の開口部１１，１２、第１、第２の切り込み部１３，１５、第１〜第３の耳かけ部１４，２１，２２の形状や大きさ等は、フェイスマスク１を適切に顔に固定することができれば、種々の変形が可能である。また、フェイスマスク１が使用者の顔および顎下を覆うのに十分な大きさを有するのであれば、フェイスマスク１を伸縮性のない素材から形成することも可能である。
【符号の説明】
【００１９】
１：フェイスマスク
１０：顔部
１４：第１の耳かけ部
２０：顎部
２１，２２：第２、第３の耳かけ部
【図１】
0003176636.tif 000003
【図２】
0003176636.tif 000004